(57)【要約】【課題】  ＦＭステレオ放送を受信する携帯電話機にステレオ用又はモノラル用のいずれのイヤホンが接続されていても、適切な音量に制御する。【解決手段】  音声処理部１０７は、変復調部１０４から通信信号の入力又はチューナ１０６からＦＭステレオ放送信号の入力を受けると、第１出力部１０８にいずれの信号かを通知し、音声信号に変換し、通信の音声信号を接続線１１９に、ステレオ放送の左チャネルの音声信号を接続線１１９に、右チャネルの音声信号を接続線１２０に出力する。第１出力部１０８は、通信の音声信号のゲインを上げて出力する。イヤホン検出部１０９は、接続されたイヤホンがモノラル用かステレオ用かを検出して第２出力部１１０に通知する。第２出力部１１０は、モノラル用のイヤホンのとき、音声信号のゲインを上げて出力する。また、ステレオ用のイヤホンのとき呼出音のゲインを下げて出力する。【選択図】  図１
2005117198.tif 000002
【特許請求の範囲】
【請求項１】
ＦＭステレオ放送を受信する携帯電話機であって、
通話時であるかＦＭステレオ放送受信時であるか並びに携帯電話機に接続されたイヤホンがステレオ用であるかモノラル用であるかを判定する判定手段と、
前記判定手段の判定結果に応じて音声信号の出力電圧のゲインを相対的に上下して前記イヤホンに出力する出力手段とを備えることを特徴とする携帯電話機。
【請求項２】
前記出力手段は、
前記判定手段で通話時であると判定されたとき、ＦＭステレオ放送受信時よりも相対的にゲインを上げる第１出力部と、
前記判定手段でモノラル用と判定されたとき、ステレオ用よりも相対的にゲインを上げる第２出力部とを有することを特徴とする請求項１記載の携帯電話機。
【請求項３】
前記第２出力部は、呼出音の鳴動又はキー操作音の音声信号の出力電圧のゲインをステレオ用と判定されたとき、モノラル用よりも下げることを特徴とする請求項２記載の携帯電話機。
【請求項４】
ＦＭステレオ放送を受信する携帯電話機の音量制御方法であって、
通話時であるかＦＭステレオ放送受信時であるか並びに携帯電話機に接続されたイヤホンがステレオ用であるかモノラル用であるかを判定する判定ステップと、
前記判定ステップの判定結果に応じて音声信号の出力電圧のゲインを相対的に上下して前記イヤホンに出力する出力ステップとを有することを特徴とする携帯電話機の音量制御方法。
【発明の詳細な説明】
【技術分野】
【０００１】
本発明は、携帯電話機に関し、特にＦＭステレオ放送を受信する携帯電話機の音量制御技術に関する。
【背景技術】
【０００２】
携帯電話機の多機能化の進展はめざましく、ＦＭステレオ放送を受信して、通話以外のときにＦＭステレオ放送を聴取できる携帯電話機が登場している。例えば、特許文献１、特許文献２が挙げられる。
特許文献２には、接続されたイヤホンがステレオイヤホンかモノラルイヤホンかを識別し、モノラルイヤホンのとき、不使用の片側チャネルの回路のパワーダウン制御をして、消費電流を削減することが開示されている。
【特許文献１】実開平０５−６９５８号公報
【特許文献２】特開２００１−３３３１７６号公報
【発明の開示】
【発明が解決しようとする課題】
【０００３】
ところが、ステレオイヤホンの使用とモノラルイヤホンの使用とでは、その聴感が異なり、上述したような消費電流を削減するだけでは、適切な音量とはならないので、携帯電話機を使用するユーザにとって、快適にＦＭステレオ放送や通話時の音声を聴取することができない。
そこで、本発明は、ステレオ用イヤホン又はモノラル用イヤホンのいずれが接続されているかを判定して、ＦＭステレオ放送や通話時の音声の音量を適切に制御する携帯電話機を提供することを目的とする。
【課題を解決するための手段】
【０００４】
上記課題を解決するため、本発明は、ＦＭステレオ放送を受信する携帯電話機であって、通話時であるかＦＭステレオ放送受信時であるか並びに携帯電話機に接続されたイヤホンがステレオ用であるかモノラル用であるかを判定する判定手段と、前記判定手段の判定結果に応じて音声信号の出力電圧のゲインを相対的に上下して前記イヤホンに出力する出力手段とを備えることとしている。
【発明の効果】
【０００５】
上述した構成によって、イヤホンに出力する出力電圧のゲインを、通話時かＦＭステレオ放送受信時か、それともステレオ用イヤホンかモノラル用イヤホンかによって上下することによって、音量を適切なものとすることができる。
また、前記出力手段は、前記判定手段で通話時であると判定されたとき、ＦＭステレオ放送受信時よりも相対的にゲインを上げる第１出力部と、前記判定手段でモノラル用と判定されたとき、ステレオ用よりも相対的にゲインを上げる第２出力部とを有することとしている。
【０００６】
このような構成によって、通話時には、モノラル音声が出力されるので、ステレオ音声よりもゲインを上げて、ステレオ音声の聴感と同等の音量とし、また、片方の耳にだけ付けられるモノラル用イヤホンでは、ステレオ用イヤホンよりもゲインを上げてステレオ音声の聴感と同等の音量とすることができる。
また、前記第２出力部は、呼出音の鳴動又はキー操作音の音声信号の出力電圧のゲインをステレオ用と判定されたとき、モノラル用よりも下げることとしている。
【０００７】
このような構成によって、ステレオ用イヤホンの装着時に、呼出音やキー操作音が過大な音量となることを防止することができる。
また、ＦＭステレオ放送を受信する携帯電話機の音量制御方法であって、通話時であるかＦＭステレオ放送受信時であるか並びに携帯電話機に接続されたイヤホンがステレオ用であるかモノラル用であるかを判定する判定ステップと、前記判定ステップの判定結果に応じて音声信号の出力電圧のゲインを相対的に上下して前記イヤホンに出力する出力ステップとを有することとしている。
【０００８】
このような方法によって、携帯電話機において、ステレオ用又はモノラル用のイヤホンを装着時に、通話音声やＦＭステレオ音声の音量を適切に制御することができる。
【発明を実施するための最良の形態】
【０００９】
以下、本発明の実施の形態を図面を用いて説明する。
（一実施の形態）
図１は、本発明に係る携帯電話機の一実施の形態の構成図である。この携帯電話機１０１は、基地局（図示せず）との通信をするアンテナ１０２と、送受信部１０３と、変復調部１０４と、放送局（図示せず）からのFMステレオ放送を受信するアンテナ１０５と、チューナ１０６と、音声処理部１０７と、第１出力部１０８と、イヤホン検出部１０９と、第２出力部１１０とを備えている。なお、この携帯電話機１０１では、外部に出力する音量の制御を主題として説明するので、送信や表示についての構成要件は省略している。
【００１０】
この携帯電話機１０１には、イヤホン１３０がコネクタによって接続される。イヤホン１３０には、ステレオ用イヤホンとモノラル用イヤホンとがあり、ステレオ用イヤホンでは、端子１３１、１３２が接地されている。また、左イヤホン１３３は携帯電話機１０１の接続線１１９と、右イヤホン１３４は接続線１２０と接続される。
モノラル用イヤホンでは、端子１３１は接地されているが、端子１３２は、接地されていない。また、モノラル用イヤホンは接続線１１９に接続される片側イヤホン１３３だけである。
【００１１】
図２は、携帯電話機１０１にイヤホン１３０が接続された状態を示す概観図である。イヤホン１３０がモノラル用であるときは、実線で示すイヤホン１３３だけであり、イヤホン１３０がステレオ用であるときは、実線で示す左イヤホン１３３と右イヤホン１３４とからなる。
なお、携帯電話機１０１の下部表面には、破線で囲んだ操作キー２０１が設けられており、上端部にはアンテナ１０２が設けられている。アンテナ１０５は図示していない。
【００１２】
送受信部１０３は、アンテナ１０２で受信された基地局からの信号を増幅して変復調部１０４に出力する。
変復調部１０４は、入力された信号を復調して音声処理部１０７に出力する。
チューナ１０６は、アンテナ１０５で受信されたＦＭステレオ放送を選局し、放送信号を復調して音声処理部１０７に出力する。なお、ＦＭステレオ放送の選局については、図示しない制御部を介したユーザの指定により、行われる。
【００１３】
なお、呼出音や操作キー２０１音は、図示しない音源作成部で作成された後、その信号は音声処理部１０７に出力される。
音声処理部１０７は、変復調部１０４から通信による復調した信号を受けると音声信号に変換し、接続線１１９に出力する。また、音源作成部からの呼出音や操作キー２０１音の音声信号の入力を受けると、接続線１１９に出力する。この際、音声処理部１０７は、通信による信号であるときは、第１出力部１０８にその旨を、呼出音や操作キー２０１音の信号であるときは、第２出力部１１０にその旨をそれぞれ通知する。
【００１４】
また、音声処理部１０７は、チューナからＦＭステレオ放送の復調された放送信号の入力を受けると、左右のチャネルの音声信号に変換し、左チャネルの音声信号を接続線１１９に出力し、右チャネルの音声信号を接続線１２０に出力する。
第１出力部１０８は、音声処理部１０７から通信による信号である旨の通知を受けたとき、入力された音声信号の出力電圧のゲインを上げ、聴感をＦＭステレオ放送をステレオ用イヤホン１３３，１３４で聴取するのと同等として、第２出力部１１０に出力する。即ち、通信による音声信号は接続線１１９だけから入力され、接続線１２０からは何も入力されていないので、両耳から聴取する音量よりも小さい。そこで、例えば接続線１１９から出力される音声信号を６ｄＢ上げるようにする。これによって、ＦＭステレオ放送の音量と同等の音量として通話音声を聴取することができる。
【００１５】
イヤホン検出部１０９は、端子１１７、１１８の電圧を測定し、携帯電話機１０１に接続されているイヤホン１３０がステレオ用イヤホンかモノラル用イヤホンかを検出する。
端子１１７と外部端子１１１とには、電源電圧１１３が抵抗１１５を介して印加されている。同様に端子１１８と外部端子１１２とには、電源電圧１１４が抵抗１１６を介して印加されている。
【００１６】
イヤホン１３０がコネクタによって携帯電話機１０１と接続されたとき、外部端子１１１とイヤホン１３０の端子１３１とが接続される。端子１１７の電圧は、端子１３１が接地されているので０Ｖとなる。同様に外部端子１１２と
イヤホン１３０の端子１３２とが接続される。ステレオ用イヤホンのとき、端子１３２は接地されているので、端子１１８の電圧は０Ｖとなる。モノラル用
イヤホンでは、端子１３２は、接地されていないので端子１１８の電圧は、電源電圧１１４の印加電圧となる。
【００１７】
イヤホン検出部１０９は、端子１１７、１１８の電圧がともに０Ｖと測定さ
れたとき、イヤホン１３０がステレオ用イヤホンであると検出する。また、端子117の電圧が０Ｖと測定され、端子１１８の電圧が電源電圧と測定されたと
き、モノラル用イヤホンであると検出する。このイヤホン１３０がステレオ用であるかモノラル用であるか第２出力部１１０に通知する。
【００１８】
第２出力部１１０は、イヤホン検出部１０９から接続されているイヤホンがモノラル用イヤホンであるとの通知を受けると、接続線１１９から入力される音声信号の出力電圧のゲインを、聴感がステレオ用イヤホンと同等の音量となるように上げて出力する。例えば、音声信号を６ｄＢ上げるようにする。これによって、モノラル用イヤホンから聴取される音量は、ステレオ用イヤホン１３３、１３４を用いたとほぼ同等の音量となる。
【００１９】
また、第２出力部１１０は、音声処理部１０７から呼出音又はキー操作音であるとの通知を受けている場合に、イヤホン検出部１０９から接続されているイヤホンがステレオ用イヤホンであるとの通知を受けると、接続線１１９から入力される音声信号の出力電圧のゲインを聴感がモノラル用イヤホンと同等となるように下げて出力する。例えば音声信号を６ｄＢ下げるようにする。これによって、ステレオ用イヤホン１３３、１３４を用いても、モノラル用イヤホン１３３から聴取される音量とほぼ同等の音量となり、過大な音量となることが防止される。
【００２０】
次に、上記実施の形態の動作を図３に示すフローチャートを用いて説明する。
音声処理部１０７は、入力された信号がチューナ１０６からのＦＭステレオ放送の受信か否かを判定する（Ｓ３０２）。ＦＭステレオ放送でなければ、通話時音声信号である旨を第１出力部１０８に通知する（Ｓ３０４）。
第１出力部１０８は、入力された音声信号の出力電圧のゲインを例えば６ｄＢに相当する分上げて出力する（Ｓ３０６）。
【００２１】
イヤホン検出部１０９は、接続されたイヤホンがステレオ用イヤホンか否かを検出する（Ｓ３０８）。ステレオ用イヤホンでなければ、モノラル用イヤホンであると第２出力部１１０に通知する（Ｓ３１０）。
第２出力部１１０は、入力された音声信号の出力電圧のゲインを例えば６ｄＢに相当する分上げて出力する（Ｓ３１２）。
【００２２】
次に第２出力部１１０は、入力されている音声信号が呼出音又はキー操作音であるとの通知がされているか否かを判定し（Ｓ３１４）、通知がなければＳ３０２に戻り、通知がされていれば、ステレオ用イヤホンが接続されているとの通知がイヤホン検出部１０９からされているか否かを判定する（Ｓ３１６）。通知されていなければ、Ｓ３０２に戻り、されているときは、入力された音声信号の出力電圧のゲインを６ｄＢに相当する分下げて出力し（Ｓ３１８）、Ｓ３０２に戻る。
【００２３】
なお、上記実施の形態では、携帯電話機１０１に接続されたイヤホン１３０がステレオ用イヤホンであり、ＦＭステレオ放送を聴取しているときの音量を基準として説明している。この音量は、ユーザの設定によって可変とすることができるのは勿論である。
また、上記実施の形態では、図１にその構成図を示したけれども、各構成要素の機能をコンピュータに発揮させるプログラムで実現するようにしてもよい。
【産業上の利用可能性】
【００２４】
本発明に係る携帯電話機は、通信機器産業分野で有効に活用される。
【図面の簡単な説明】
【００２５】
【図１】本発明に係る携帯電話機の一実施の形態の構成図である。
【図２】上記実施の形態の携帯電話機の外観図である。
【図３】上記実施の形態の動作を説明するフローチャートである。
【符号の説明】
【００２６】
１０１  携帯電話機
１０２  通信用アンテナ
１０３  送受信部
１０４  変復調部
１０５  放送用アンテナ
１０６  チューナ
１０７  音声処理部
１０８  第１出力部
１０９  イヤホン検出部
１１０  第２出力部
１３０  イヤホン本体
１３３  モノラル用イヤホン（ステレオ用イヤホン左チャネルイヤホン）
１３４  ステレオ用イヤホン右チャネルイヤホン
【図１】
2005117198.tif 000003
【図２】
2005117198.tif 000004
【図３】
2005117198.tif 000005